(57)【要約】【課題】設計構造の単純化等が図れる恒温槽を提供する。【解決手段】外装壁１２と内装壁１４とよりなる二重壁構造をなし、内装壁１４で囲まれた空間が恒温室に形成され、外装壁１２と内装壁１４との間に、送風ファン３１と、冷凍機３５のエバポレータ３２およびヒータ３３のいずれかとが配設され、外装壁１２と内装壁１４との間がエア流路２２に形成された恒温槽１０において、外装壁１２は内面に断熱材２１が添設された外装壁１２が用いられ、該断熱材２１内面と内装壁１４外面との間がエア流路２２に形成されるとともに、該エア流路２２が断熱材２７、３７、３８により仕切られて所要通路に形成されていることを特徴とする。【選択図】図１
2008185285.tif 000002
【特許請求の範囲】
【請求項１】
外装壁と内装壁とよりなる二重壁構造をなし、内装壁で囲まれた空間が恒温室に形成され、外装壁と内装壁との間に、冷凍機のエバポレータおよびヒータの少なくともいずれかと、送風ファンとが配設され、外装壁と内装壁との間がエア流路に形成された恒温槽において、
前記外装壁は内面に断熱材が添設された外装壁が用いられ、該断熱材内面と前記内装壁外面との間が前記エア流路に形成されるとともに、該エア流路が断熱材により仕切られて所要通路に形成されていることを特徴とする恒温槽。
【請求項２】
前記断熱材がポリウレタン成形樹脂の板材よりなることを特徴とする請求項１記載の恒温槽。
【請求項３】
前記エア流路が、下面部の二重壁空間であって、前後方向に延びる下面部エア流路と、両側面部の二重壁空間であって、前記下面部エア流路に連通する側面部エア流路と、上面部の二重壁空間であって、前後方向に延び、前記側面部エア流路と連通する上面部エア流路と、背面部の二重壁空間であって、左右両脇に断熱材が配置されて上下方向に延び、前記上面部エア流路および下面部エア流路に連通する背面部エア流路とを有することを特徴とする請求項１または２記載の恒温槽。
【請求項４】
前記下面部エア流路内に、前記送風ファン、エバポレータおよびヒータが、後部側から前部側に向けてこの順に配設されていることを特徴とする請求項３記載の恒温槽。
【請求項５】
前記側面部エア流路が、前記下面部エア流路の前端部側に連通していることを特徴とする請求項４記載の恒温槽。
【発明の詳細な説明】
【技術分野】
【０００１】
本発明は、設計構造の単純化等が図れる恒温槽に関する。
【背景技術】
【０００２】
例えば、特開平８−２１９６３０号公報に示されるように、二重断熱壁構造を有する恒温槽がある。この恒温槽における断熱壁の構造は、ポリウレタン成形樹脂からなる断熱板を両側からステンレス板で挟みこんだものとなっている。
【特許文献１】特開平８−２１９６３０号公報
【発明の開示】
【発明が解決しようとする課題】
【０００３】
しかしながら、上記断熱壁の構造は、断熱板を両側からステンレス板で挟みこんだものであるため、組立作業が容易でなく、構造が複雑で、重量が大となり、またステンレス板を伝って不要な熱移動も起こりやすくなるという課題がある。
そこで本発明は上記課題を解決すべくなされたもので、その目的とするところは、設計構造の単純化等が図れる恒温槽を提供するにある。
【課題を解決するための手段】
【０００４】
本発明に係る恒温槽は、外装壁と内装壁とよりなる二重壁構造をなし、内装壁で囲まれた空間が恒温室に形成され、外装壁と内装壁との間に、冷凍機のエバポレータおよびヒータの少なくともいずれかと、送風ファンとが配設され、外装壁と内装壁との間がエア流路に形成された恒温槽において、前記外装壁は内面に断熱材が添設された外装壁が用いられ、該断熱材内面と前記内装壁外面との間が前記エア流路に形成されるとともに、該エア流路が断熱材により仕切られて所要通路に形成されていることを特徴とする。
【０００５】
前記断熱材がポリウレタン成形樹脂の板材よりなることを特徴とする。
前記エア流路が、下面部の二重壁空間であって、前後方向に延びる下面部エア流路と、両側面部の二重壁空間であって、前記下面部エア流路に連通する側面部エア流路と、上面部の二重壁空間であって、前後方向に延び、前記側面部エア流路と連通する上面部エア流路と、背面部の二重壁空間であって、左右両脇に断熱材が配置されて上下方向に延び、前記上面部エア流路および下面部エア流路に連通する背面部エア流路とを有することを特徴とする。
【０００６】
また、前記下面部エア流路内に、前記送風ファン、エバポレータおよびヒータが、後部側から前部側に向けてこの順に配設されていることを特徴とする。
前記側面部エア流路が、前記下面部エア流路の前端部側に連通していることを特徴とする。
【発明の効果】
【０００７】
本発明によれば、外装壁に、内面に断熱材が添設されただけのものを用い、またエア流路内における仕切壁も、単に裸の断熱材を用いたので、構造が簡易となり、流路の設計も容易で、組立も簡単となり、また重量も小さなものとすることができる。また、ステンレス板を伝って不要な熱移動も起こらなくなるという効果も有する。
【発明を実施するための最良の形態】
【０００８】
以下本発明の好適な実施の形態を添付図面を参照して詳細に説明する。
図１は恒温槽１０の正面図、図２は左側面図、図３は右側面図、図４は平面図である。
恒温槽１０は、外装壁１２と内装壁１４とよりなる二重壁構造をなし、内装壁１４で囲まれた空間が恒温室１６に形成されている。なお、前面は、開閉可能な扉１８に形成されている。
【０００９】
外装壁１２は、図５に示すように、ステンレス板２０の内面にポリウレタン成形樹脂の板材からなる断熱材２１が接着剤等により添設された簡易な構造のものを用いている。なお、内装壁１４はステンレス板よりなる。このような簡易な構造の外装壁１２、内装壁１４であるから、組み付けは容易である。断熱材２１内面と内装壁１４外面との間がエア流路２２に形成される。
【００１０】
エア流路２２は、下面部の二重壁空間であって、前後方向に延びる下面部エア流路２４と、両側面部の二重壁空間であって、下面部エア流路２４に連通する側面部エア流路２５と、上面部の二重壁空間であって、前後方向に延び、側面部エア流路２５と連通する上面部エア流路２６と、背面部の二重壁空間であって、左右両脇に断熱材２７が配置されて（図４）上下方向に延び、上面部エア流路２６および下面部エア流路２４に連通する背面部エア流路２８とを有する。
【００１１】
なお、下面部エア流路２４は、下面部の二重壁空間内に、下方に開放する断面コの字状のカバー３０が配置されることによって形成されている。そして、この下面部エア流路２４内に、送風ファン３１、冷凍機のエバポレータ３２およびヒータ３３が、後部側から前部側に向けてこの順に配設されている。なお、３５は冷凍機本体である。
また、図示しないが、送風ファン３３を正回転、逆回転させる正逆モータが配設されている。これら正逆モータ、冷凍機３５、ヒータ３３は、図示しない制御部により駆動、制御される。
【００１２】
側面部エア流路２５は、カバー３０の前端部側側面に開口した開口部３６を通じて下面部エア流路２４の前端部側に連通している。このようにすることで、エアが、エバポレータ３２、ヒータ３３を確実に通過した後側面部エア流路２５に流入するので好適である。
両側面部エア流路２５は、図２、図３に明確なように、断熱材２１の内面に上下方向に延びるように、一定の間隔をおいて接着剤により固定された４本の断熱材３７によって仕切られて、３本の流路に別れるように設定されている。これら３本の流路は上端部で上面部エア流路２６に連通している。なおこれら断熱材３７は、エアの整流効果を有する。
【００１３】
また、上面部エア流路２６は、断熱材２１に前後方向に延びるように、一定の間隔をおいて接着剤により固定された４本の断熱材３８によって仕切られて、３本の流路に別れるように設定されている。これら３本の流路は後端部で背面部エア流路２８に接続している。
なお、背面部エア流路２８は、二重壁構造の左右に幅広の断熱材２７が配置されることによって、１本の流路に形成され、この１本の流路が、下端において、下面部エア流路２４を構成するカバー３０の後端部に連通している。
断熱材２７、断熱材３７、断熱材３８もポリウレタン樹脂からなる板材を好適に用いることができるが、材質は特に限定されない。
【００１４】
制御部は設定温度入力部を有し、恒温槽１０の設定温度を入力しうるようになっている。また、図示しないが、恒温室１６の内部温度を検出する温度センサが設けられ、この温度センサによって検出された温度データが制御部に入力される。
【００１５】
本実施の形態における恒温槽１０は上記の構成を有する。
本実施の形態では、外装壁１２に、ステンレス板２０の内面に断熱材２１を添設しただけのものを用い、またエア流路２２内における仕切壁も、単に裸の断熱材２７、３７、３８を用いたので、構造が簡易となり、流路の設計も容易で、組立も簡単となり、また重量も小さなものとすることができる。また、ステンレス板を伝って不要な熱移動も起こらなくなるという効果も有する。
【００１６】
恒温槽１０の運転は次のようになされる。
恒温室１６内を室温よりも高温の例えば３７℃に加温、維持する際は、制御部の設定温度入力部に３７℃と入力する。制御部は、冷凍機３５、ヒータ３３、送風ファン３３の駆動部を駆動、制御する。下面部エア流路２４内の空気はまず冷凍機３５により所要温度に冷却され、次いでヒータ３３によって加温される。この加温された空気は、送風ファン３１により、下面部エア流路２４、側面部エア流路２５、上面部エア流路２６、背面部エア流路２８の順に流れるようにされる。加温された空気は軽くなり上昇しやすいので、下面部エア流路２４から、広い、両側面部エア流路２５内を支障なく上昇し、恒温室１６内を均一に加温する。
【００１７】
なお、冷凍機３５も運転するのは、一旦一定の温度に冷却し、これをヒータ３３で加熱する方が、正確な温調ができるからである。恒温室１６内の温度は温度センサによって検出され、この検出温度が制御部に入力され、制御部では、この温度センサの検出温度に基づき、ヒータ３３のオンオフ制御をして、恒温室１６内の温度が設定温度となるように制御するのである。
【００１８】
一方、２０℃等の室温より低温に維持する際は、ヒータ３３をオフにし、冷凍機３５をオンにする。そして、送風ファン３１を逆回転することによって、冷却された空気が、下面部エア流路２４、背面部エア流路２８、上面部エア流路２６、側面部エア流路２５の順に流れるようにする。低温の空気は重くなり、上昇しにくくなるが、断面積の小さな背面部エア流路２８内を一気に上面部エア流路２６にまで上昇させてしまうのである。これにより、重い、冷たい空気は両側面部エア流路２５内を下降し、恒温室１６内を均一に冷却することとなる。
【００１９】
上記の実施の形態では、冷却、加温の双方の行える恒温槽に適用したが、冷却、加温のいずれか一方のみの恒温槽としてもよいことはもちろんである。
【図面の簡単な説明】
【００２０】
【図１】恒温槽の正面断面図である。
【図２】恒温槽の左側面断面図である。
【図３】恒温槽の右側面断面図である。
【図４】恒温槽の平面断面図である。
【図５】外装壁の断面説明図である。
【符号の説明】
【００２１】
１０  恒温槽
１２  外装壁
１４  内装壁
１６  恒温室
１８  蓋
２０  ステンレス板
２１  断熱材
２２  エア流路
２４  下面部エア流路
２５  側面部エア流路
２６  上面部エア流路
２７  断熱材
２８  背面部エア流路
３０  カバー
３１  送風ファン
３２  エバポレータ
３３  ヒータ
３５  冷凍機
３６  開口部
３７  断熱材
３８  断熱材
【図１】
2008185285.tif 000003
【図２】
2008185285.tif 000004
【図３】
2008185285.tif 000005
【図４】
2008185285.tif 000006
【図５】
2008185285.tif 000007